(57)【要約】【課題】音楽情報に付与された識別情報を利用して異なるラジオや記録媒体から得られる音楽情報を連携させ、使用者がこれら各音楽情報を利用する際の利便性を向上する。【解決手段】ナビゲーション装置２は、操作スイッチ群２６からの入力指令に従い、衛星デジタルラジオ装置４で受信された音楽情報やＣＤに記録された音楽情報を、音楽の識別情報と共にハードディスク２４に記録し、スピーカ８から出力させる音声を、衛星デジタルラジオ装置４やハードディスク２４から得られる音楽に切り換える。また、衛星デジタルラジオ装置４で受信された楽曲を音声出力しているときは、ハードディスク２４に録音されている音声出力中の楽曲と同一種類の楽曲を抽出し、抽出結果を使用者に通知する。また、録音された楽曲を音声出力しているときには、音声出力中の楽曲と同一種類の楽曲が放送されているか否かを検出して、放送されていれば使用者に通知する。【選択図】図１
2008047186.tif 000002
【特許請求の範囲】
【請求項１】
音声を出力する音声出力手段と、
音楽の音声信号である音楽情報と該音楽の識別情報とを含む放送電波を受信し、その受信信号から音楽情報及び識別情報を復元する受信手段と、
前記音楽情報と前記識別情報とからなる楽曲データが、楽曲毎に記録された記録媒体と、
外部からの指令に従い、前記受信手段にて復元された音楽情報に基づく音声、及び、前記記録媒体に記録された音楽情報に基づく音声、の何れかを前記音声出力手段から出力させる制御手段と、
を備えたオーディオ装置であって、
前記制御手段が前記音声出力手段から前記記録媒体に記録された音楽情報に基づく音声を出力させているとき、前記記録媒体から現在音声出力中の音楽情報に対応した識別情報を取得し、該取得した識別情報に基づき、前記受信手段において、現在音声出力中の音楽と同一種類の音楽情報が受信されているか否かを判断し、前記受信手段にて現在音声出力中の音楽と同一種類の音楽情報が受信されているときに、その旨を使用者に通知する第１の出力関連情報通知手段を備えたことを特徴とするオーディオ装置。
【請求項２】
前記制御手段が前記音声出力手段から前記受信手段にて復元された音楽情報に基づく音声を出力させているとき、前記受信手段から音声出力中の音楽情報に対応した識別情報を取得し、該取得した識別情報に基づき、前記記録媒体に記録された楽曲データの中から、現在音声出力中の音楽と同一種類の楽曲データを抽出し、該抽出結果を使用者に通知する第２の出力関連情報通知手段を備えたことを特徴とする請求項１に記載のオーディオ装置。
【請求項３】
前記記録媒体は、異なる情報源から得られた楽曲データをそれぞれ記録する複数の記録領域を備え、
前記制御手段が前記音声出力手段から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とする請求項１又は請求項２に記載のオーディオ装置。
【請求項４】
音声を出力する音声出力手段と、
音楽の音声信号である音楽情報と該音楽の識別情報とを含む放送電波を受信し、その受信信号から音楽情報及び識別情報を復元する受信手段と、
前記音楽情報と前記識別情報とからなる楽曲データが、楽曲毎に記録された記録媒体と、
外部からの指令に従い、前記受信手段にて復元された音楽情報に基づく音声、及び、前記記録媒体に記録された音楽情報に基づく音声、の何れかを前記音声出力手段から出力させる制御手段と、
を備えたオーディオ装置であって、
前記制御手段が前記音声出力手段から前記受信手段にて復元された音楽情報に基づく音声を出力させているとき、前記受信手段から音声出力中の音楽情報に対応した識別情報を取得し、該取得した識別情報に基づき、前記記録媒体に記録された楽曲データの中から、現在音声出力中の音楽と同一種類の楽曲データを抽出し、該抽出結果を使用者に通知する第２の出力関連情報通知手段を備えたことを特徴とするオーディオ装置。
【請求項５】
前記記録媒体は、異なる情報源から得られた楽曲データをそれぞれ記録する複数の記録領域を備え、
前記制御手段が前記音声出力手段から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とする請求項４に記載のオーディオ装置。
【請求項６】
音声を出力する音声出力手段と、
音楽の音声信号である音楽情報と該音楽の識別情報とを含む放送電波を受信し、その受信信号から音楽情報及び識別情報を復元する受信手段と、
前記音楽情報と前記識別情報とからなる楽曲データが、楽曲毎に記録された記録媒体と、
外部からの指令に従い、前記受信手段にて復元された音楽情報に基づく音声、及び、前記記録媒体に記録された音楽情報に基づく音声、の何れかを前記音声出力手段から出力させる制御手段と、
を備えたオーディオ装置であって、
前記記録媒体は、異なる情報源から得られた楽曲データをそれぞれ記録する複数の記録領域を備え、
前記制御手段が前記音声出力手段から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とするオーディオ装置。
【請求項７】
音声を出力する音声出力装置、音楽の音声信号である音楽情報と該音楽の識別情報とを含む放送電波を受信し、その受信信号から音楽情報及び識別情報を復元する受信装置、及び、前記音楽情報と前記識別情報とからなる楽曲データが、楽曲毎に記録された記録媒体、に接続され、
外部からの指令に従い、前記受信装置にて復元された音楽情報に基づく音声、及び、前記記録媒体に記録された音楽情報に基づく音声、の何れかを前記音声出力装置から出力させる制御装置であって、
前記音声出力装置から前記記録媒体に記録された音楽情報に基づく音声を出力させているとき、前記記録媒体から現在音声出力中の音楽情報に対応した識別情報を取得し、該取得した識別情報に基づき、前記受信装置において、現在音声出力中の音楽と同一種類の音楽情報が受信されているか否かを判断し、前記受信装置にて現在音声出力中の音楽と同一種類の音楽情報が受信されているときに、その旨を使用者に通知する第１の出力関連情報通知手段を備えたことを特徴とする制御装置。
【請求項８】
前記音声出力装置から前記受信装置にて復元された音楽情報に基づく音声を出力させているとき、前記受信装置から音声出力中の音楽情報に対応した識別情報を取得し、該取得した識別情報に基づき、前記記録媒体に記録された楽曲データの中から、現在音声出力中の音楽と同一種類の楽曲データを抽出し、該抽出結果を使用者に通知する第２の出力関連情報通知手段を備えたことを特徴とする請求項７に記載の制御装置。
【請求項９】
前記記録媒体には、異なる情報源から得られた楽曲データをそれぞれ記録する複数の記録領域が設けられており、
当該制御装置は、前記音声出力装置から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とする請求項７又は請求項８に記載の制御装置。
【請求項１０】
音声を出力する音声出力装置、音楽の音声信号である音楽情報と該音楽の識別情報とを含む放送電波を受信し、その受信信号から音楽情報及び識別情報を復元する受信装置、及び、前記音楽情報と前記識別情報とからなる楽曲データが、楽曲毎に記録された記録媒体、に接続され、
外部からの指令に従い、前記受信装置にて復元された音楽情報に基づく音声、及び、前記記録媒体に記録された音楽情報に基づく音声、の何れかを前記音声出力装置から出力させる制御装置であって、
前記音声出力装置から前記受信装置にて復元された音楽情報に基づく音声を出力させているとき、前記受信装置から音声出力中の音楽情報に対応した識別情報を取得し、該取得した識別情報に基づき、前記記録媒体に記録された楽曲データの中から、現在音声出力中の音楽と同一種類の楽曲データを抽出し、該抽出結果を使用者に通知する第２の出力関連情報通知手段を備えたことを特徴とする制御装置。
【請求項１１】
前記記録媒体には、異なる情報源から得られた楽曲データをそれぞれ記録する複数の記録領域が設けられており、
当該制御装置は、前記音声出力装置から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とする請求項１０に記載の制御装置。
【請求項１２】
音声を出力する音声出力装置、音楽の音声信号である音楽情報と該音楽の識別情報とを含む放送電波を受信し、その受信信号から音楽情報及び識別情報を復元する受信装置、及び、前記音楽情報と前記識別情報とからなる楽曲データが、楽曲毎に記録された記録媒体、に接続され、
外部からの指令に従い、前記受信装置にて復元された音楽情報に基づく音声、及び、前記記録媒体に記録された音楽情報に基づく音声、の何れかを前記音声出力装置から出力させる制御装置であって、
前記記録媒体には、異なる情報源から得られた楽曲データをそれぞれ記録する複数の記録領域が設けられており、
当該制御装置は、前記音声出力装置から前記記録媒体に記録された音楽情報に基づく音声を出力させているとき、前記記録媒体から現在音声出力中の音楽情報に対応した識別情報を取得し、該取得した識別情報に基づき、前記記録媒体において当該識別情報とは異なる記録領域に記録された楽曲データの中から、現在音声出力中の音楽と同一種類の楽曲データを抽出し、該抽出結果を使用者に通知する第３の出力関連情報通知手段を備えたことを特徴とする記載の制御装置。
【請求項１３】
車両に搭載されて乗員に対する走行案内を行うナビゲーション装置であって、請求項７〜１２の何れかに記載の制御装置としての機能を有することを特徴とするナビゲーション装置。
【発明の詳細な説明】
【技術分野】
【０００１】
本発明は、放送電波を受信する受信機にて受信された音楽や記録媒体に記録された音楽の中から任意の音楽を選択して音声出力可能なオーディオ装置、制御装置、及びナビゲーション装置に関する。
【背景技術】
【０００２】
従来より、音楽の音声信号である音楽情報とその音楽の識別情報（曲名、アーティスト名、ジャンル等）とを人工衛星を使って配信する衛星デジタルラジオ放送が知られている。
【０００３】
この衛星デジタルラジオ放送では、音楽情報に加えて音楽の識別情報が配信されることから、その放送を受信して記録可能なオーディオ装置は、受信した音楽情報と識別情報との両方を記録媒体に記録（録音）することで、使用者が、記録した情報の中から、識別情報を利用して所望の音楽情報を簡単に検索できるようにされている（例えば特許文献１，２等参照）。
【０００４】
また、オーディオ装置には、音楽ＣＤ等、ラジオ放送以外の情報源から取得した音楽情報を記録媒体に記録する際、音楽情報に識別情報を付与することで、記録後に所望の音楽情報を簡単に検索できるようにしたものも知られている。
【特許文献１】特開２００４−８０２７５号公報
【特許文献２】特開２００５−３３２４７５号公報
【発明の開示】
【発明が解決しようとする課題】
【０００５】
しかし、従来のオーディオ装置では、衛星デジタルラジオ放送等で配信される音楽情報に基づく音声を出力しているときに、その音楽情報と一緒に配信される識別情報を使って、音声出力中の音楽の曲名やアーティスト名を使用者に通知するとか、或いは、記録媒体に記録された音楽情報を再生しているときに、その音楽情報と共に記録された識別情報を使って、再生中の音楽の曲名やアーティスト名を使用者に通知する、といったことはできるものの、放送中の音楽と記録媒体に記録されている音楽との関連を使用者に通知することはできなかった。
【０００６】
このため、例えば、使用者が収集しているジャンルの音楽が放送されていても、使用者が録音済みの音楽を聴いているような場合には、使用者は、そのジャンルの音楽が放送されていることを知ることができなかった。
【０００７】
つまり、従来では、ラジオ放送で、音声出力用の音楽情報に加えてそのジャンル等を表す識別情報が配信されているにもかかわらず、その識別情報が有効に利用されていないのである。
【０００８】
本発明は、こうした問題に鑑みなされたものであり、音楽情報に付与された識別情報を利用して、異なる情報源から得られた音楽情報を連携させ、使用者がこれら各音楽情報を利用する際の利便性を向上することを目的とする。
【課題を解決するための手段】
【０００９】
かかる目的を達成するためになされた請求項１に記載のオーディオ装置においては、制御手段が音声出力手段から記録媒体に記録された音楽情報に基づく音声を出力させているときに、第１の出力関連情報通知手段が、記録媒体から現在音声出力中の音楽情報に対応した識別情報を取得し、その取得した識別情報に基づき、受信手段において、現在音声出力中の音楽と同一種類の音楽情報が受信されているか否かを判断し、受信手段にて現在音声出力中の音楽と同一種類の音楽情報が受信されているときに、その旨を使用者に通知する。
【００１０】
このため、使用者は、記録媒体に記録（録音）されている音楽を聴いているときに、その音楽と同一種類の音楽情報が放送されていることを検知できることになり、その放送を聴きたい場合には、受信手段からの音声が出力されるように制御手段に指令を入力すればよい。
【００１１】
また、例えば、制御手段に、受信手段にて復元された音声情報と識別情報とを記録媒体へ記録する録音手段としての機能があれば、使用者は、第１の出力関連情報通知手段からの通知を受けて、録音指令を入力することにより、放送中の音楽を記録媒体に録音することもできる。
【００１２】
よって、本発明のオーディオ装置によれば、第１の出力関連情報通知手段の動作によって、受信手段にて受信された音楽情報と記録媒体に記録された音楽情報とを連携させて、使用者がこれらの音楽情報を利用する際の利便性を向上することができる。
【００１３】
なお、「音声出力中の音楽と同一種類の音楽」とは、識別情報から得られる曲名、アーティスト名、ジャンル等の情報の一つ、若しくは複数の情報の組み合わせ、が一致する音楽のことであり、その一致条件は、使用者が適宜設定できるようにするとよい。
【００１４】
次に、請求項２に記載のオーディオ装置は、請求項１に記載のものに、第２の出力関連情報通知手段を設けたものである。そして、この第２の出力関連情報通知手段は、制御手段が音声出力手段から受信手段にて復元された音楽情報に基づく音声を出力させているときに、受信手段から音声出力中の音楽情報に対応した識別情報を取得し、その取得した識別情報に基づき、記録媒体に記録された楽曲データの中から、現在音声出力中の音楽と同一種類の楽曲データを抽出し、その抽出結果を使用者に通知する。
【００１５】
このため、使用者は、受信手段が受信した音楽放送を聴いているときに、その音楽と同一種類の音楽が記録媒体に記録されていれば、そのことを簡単に検知できるようになり、放送中の音楽と同種の音楽を聴きたいときには、記録媒体に記録された同種の音楽（つまり同一種類として抽出された楽曲データ）が再生されるように制御手段に指令を入力すればよい。
【００１６】
また、第２の出力関連情報通知手段によれば、記録媒体から音声出力中の音楽と同一種類の楽曲データを抽出するときの抽出条件や、抽出結果の通知方法を適宜設定することにより、例えば、音声出力中の音楽が記録媒体に記録されているか否かを通知することもできるようになり、使用者は、音声出力中の音楽が記録媒体に記録されていない場合に、その音楽を記録媒体に記録させるとか、或いは、その音楽の識別情報（つまり曲名、アーチスト名、ジャンル等）を確認して、他の情報源から入手する、といったこともできるようになる。
【００１７】
よって、本発明のオーディオ装置によれば、第１及び第２の出力関連情報通知手段の動作により、使用者が各情報源（受信手段、記録媒体）からの音楽情報を利用する際の利便性をより向上することができる。
【００１８】
次に、請求項３に記載のオーディオ装置においては、記録媒体が、異なる情報源から得られた楽曲データをそれぞれ記録する複数の記録領域を備え、第３の出力関連情報通知手段が、制御手段が音声出力手段から記録媒体に記録された音楽情報に基づく音声を出力させているときに、記録媒体から現在音声出力中の音楽情報に対応した識別情報を取得し、その取得した識別情報に基づき、記録媒体においてその識別情報とは異なる記録領域に記録された楽曲データの中から、現在音声出力中の音楽と同一種類の楽曲データを抽出し、抽出結果を使用者に通知する。
【００１９】
このため、使用者は、記録媒体に記録（録音）されている音楽を聴いているときに、その音楽と同一種類の音楽情報が、記録媒体の異なる記録領域に記録されていることを検知して、例えば、各記録領域に記録された異なる情報源からの楽曲データ（換言すればデータ構造の異なる楽曲データ）を連携して再生させる、といったことができるようになる。
【００２０】
よって、本発明のオーディオ装置によれば、使用者は、受信手段にて受信された音楽情報と、記録媒体の各記録領域に記録され、異なる情報源から得られた複数種類の音楽情報とを、相互に連携させて、これら各音楽情報を利用することができるようになり、利用者がこれら各音楽情報を利用する際の利便性を向上することができる。
【００２１】
次に、請求項４に記載のオーディオ装置は、上述した第２の出力関連情報通知手段を備えたことを特徴とする。従って、このオーディオ装置によれば、第２の出力関連情報通知手段の動作によって、受信手段にて受信された音楽情報と記録媒体に記録された音楽情報とを連携させて、使用者がこれらの音楽情報を利用する際の利便性を向上することができるようになる。
【００２２】
また次に、請求項５に記載のオーディオ装置は、請求項４に記載のものに、上述した第３の出力関連情報通知手段を設けたことを特徴とする。従って、このオーディオ装置によれば、使用者は、受信手段にて受信された音楽情報と記録媒体に記録された音楽情報、及び、記録媒体の各記録領域に記録され、異なる情報源から得られた音楽情報同士、をそれぞれ連携させて、これら各音楽情報を利用することができるようになり、利用者がこれら各音楽情報を利用する際の利便性を向上することができる。
【００２３】
また、請求項６に記載のオーディオ装置は、上述した第３の出力関連情報通知手段を備えたことを特徴とする。従って、このオーディオ装置によれば、第３の出力関連情報通知手段の動作によって、記録媒体の各記録領域に記録され、異なる情報源から得られた複数種類の音楽情報を相互に連携させて、これら各音楽情報を利用することができるようになり、利用者がこれら各音楽情報を利用する際の利便性を向上することができる。
【００２４】
ここで、本発明のオーディオ装置は、音声出力手段、受信手段、制御手段としての機能を備えた一つの装置として構成する必要はなく、これら各手段を個々の装置にて構成して組み合わせた所謂オーディオシステムとして構成してもよい。
【００２５】
そして、このようなオーディオシステムを構築する際には、制御手段としての機能を有する制御装置を、請求項７〜請求項１２の何れかに記載のように構成すればよい。
すなわち、これら請求項７〜請求項１２に記載の制御装置は、音声出力手段としての音声出力装置、受信手段としての受信装置、及び記録媒体に接続され、外部からの指令に従い、受信装置にて復元された音楽情報に基づく音声、及び、記録媒体に記録された音楽情報に基づく音声、の何れかを音声出力装置から出力させる。
【００２６】
そして、請求項７に記載の制御装置には、請求項１に記載のオーディオ装置と同様、第１の出力関連情報通知手段が設けられ、請求項８に記載の制御装置には、請求項２に記載のオーディオ装置と同様、第１及び第２の出力関連情報通知手段が設けられ、請求項９に記載の制御装置には、請求項３に記載のオーディオ装置と同様、第１、第２、第３の出力関連情報通知手段が設けられ、請求項１０に記載の制御装置には、請求項４に記載のオーディオ装置と同様、第２の出力関連情報通知手段が設けられ、請求項１１に記載の制御装置には、請求項５に記載のオーディオ装置と同様、第２及び第３の出力関連情報通知手段が設けられ、請求項１２に記載の制御装置には、請求項６に記載のオーディオ装置と同様、第３の出力関連情報通知手段が設けられている。
【００２７】
従って、請求項７〜請求項１２に記載の制御装置によれば、それぞれ、対応する請求項１〜請求項６に記載のオーディオ装置と同様の効果を得ることができる。
なお、請求項７〜請求項１２に記載の制御装置は、制御装置と別体に構成された記録媒体を着脱自在に装着できるように構成してもよく、或いは、記録媒体を内蔵するようにしてもよい。
【００２８】
また、これら各制御装置に、受信装置や他の情報源から取得した楽曲データ（音楽情報＋識別情報）を、外部からの指令に従い記録媒体に記録する、録音手段としての機能を付与すれば、制御装置の使い勝手をより向上することができる。
【００２９】
次に、請求項７〜請求項１２に記載の制御装置を車両に搭載する場合、一つの車載装置として単体で構成してもよいが、請求項１３に記載のように、車両に搭載されて乗員に対する走行案内を行うナビゲーション装置の一機能として実現するようにしてもよい。
【００３０】
つまり、車両に搭載されるナビゲーション装置には、道路地図等の各種情報を表示する表示部、操作入力用の入力部、経路案内等のための音声信号を出力する音声出力部、経路案内等の各種制御処理を行う演算処理部等が設けられており、これら各部を使って、経路案内以外の車載装置を操作するインターフェースとして利用できることから、このナビゲーション装置に本発明の制御装置としての機能を組み込めば、受信装置にて受信された音楽情報や記録媒体に記録された音楽情報に基づく音声を、使用者（乗員）からの指令に従い、音声出力装置としてのスピーカから出力させるのに適した制御装置を実現できることになる。
【発明を実施するための最良の形態】
【００３１】
以下に本発明の実施形態を図面と共に説明する。
図１は、本発明が適用された車載マルチメディアシステムの構成を表すブロック図である。
【００３２】
図１に示すように、本実施形態の車載マルチメディアシステムは、車両（自動車）に搭載されて、画像及び音声による走行案内や、各種オーディオ機器からの音声出力を行うためのものであり、走行案内及び音声出力を制御するためのナビゲーション装置２と、衛星デジタルラジオ放送を受信して音楽情報やその識別情報を復元する衛星デジタルラジオ装置４と、ＦＭ及びＡＭの地上アナログラジオ放送を受信したり音楽ＣＤを再生したりするレシーバ付きのオーディオ再生装置６と、これら各装置２，４，６からの音声信号を増幅して車室の左右前後に設けられた複数のスピーカ８から音声を出力させるオーディオアンプ１０と、から構成されている。
【００３３】
ここで、ナビゲーション装置２には、ＧＰＳ用の人工衛星からの送信電波を受信し、車両の位置、速度、進行方向等を検出するＧＰＳ受信機２２、地図データや経路案内用の音声データが予め記録され、衛星デジタルラジオ装置４にて受信された音楽の受信データや音楽ＣＤから読み出したＣＤデータを追加記録なハードディスク２４、使用者が各種指令を入力するための操作スイッチ群２６、道路地図や走行経路、使用者に対する案内等を表示するための表示装置２８、及び、これら各部に接続された制御回路２０が備えられている。
【００３４】
また、制御回路２０は、ＣＰＵ，ＲＯＭ，ＲＡＭ等からなるマイクロコンピュータにて構成されており、操作スイッチ群２６から入力された指令に従い、表示装置２８に走行案内用の道路地図や走行経路図を表示する表示制御、ハードディスク２４，衛星デジタルラジオ装置４，オーディオ再生装置６等から得られる音声信号をオーディオアンプ１０に増幅させてスピーカ８から音声出力させる音声出力制御、衛星デジタルラジオ装置４からの受信データやＣＤデータをハードディスク２４に記録する録音制御、等を実行する。
【００３５】
なお、ハードディスク２４は、本発明の記録媒体に相当するものであり、その内部には、衛星デジタルラジオ装置４にて受信された受信データ（音楽情報及び識別情報）を楽曲単位で記録しておくためのラジオ録音領域と、音楽ＣＤから読み出したＣＤデータ（音楽情報）を楽曲単位で記録しておくためのＣＤ録音領域との、２種類の楽曲データ記録領域が設定されている。
【００３６】
また、ハードディスク２４には、市販の音楽ＣＤに記録されている音楽の識別情報（曲名、アーティスト名、アルバム名、ジャンル等）をデータベース化したＣＤデータベースも記録されている。そして、制御回路２０は、音楽ＣＤから読み出したＣＤデータ（音楽情報）をハードディスク２４のＣＤ録音領域に記録（録音）する際、このＣＤデータベースから音楽ＣＤに記録された音楽の識別情報を読み出し、この識別情報とＣＤデータ（音楽情報）とを、各楽曲毎に楽曲データとして記録する。
【００３７】
次に、衛星デジタルラジオ装置４は、本発明の受信手段（又は受信装置）に相当するものであり、衛星デジタルラジオ放送の放送電波をアンテナにて受信し、その受信信号から、音楽の音声信号をデジタル化した音楽情報や、放送中の音楽の識別情報を復元する衛星デジタルラジオ受信機４２と、この衛星デジタルラジオ受信機４２にて復元された音楽情報や識別情報をデコードして音声信号や音楽の曲名、アーティスト名、ジャンル等の文字コードを生成するデコーダ４４と、衛星デジタルラジオ受信機４２にて復元された音楽情報及び識別情報を所定時間分だけ一時的に蓄積するためのメモリ４６と、これら各部に接続された制御回路４０とから構成されている。
【００３８】
この制御回路４０は、ＣＰＵ，ＲＯＭ，ＲＡＭ等からなるマイクロコンピュータにて構成されており、ナビゲーション装置２の制御回路２０との間でデータを送受信するための通信機能や、デコーダ４４にて生成された音声信号をオーディオアンプ１０に出力する音声信号出力機能を備えている。
【００３９】
そして、制御回路４０は、ナビゲーション装置２（詳しくはナビゲーション装置２に設けられた操作スイッチ群２６を操作した使用者）からの指令に従い動作し、衛星デジタルラジオ受信機４２の選局チャンネルの設定、デコーダ４４に音楽情報や識別情報をデコードさせるデコード制御、受信データ（音楽情報及び識別情報）をメモリ４６へ書き込む受信データ書き込み制御、ナビゲーション装置２からの要求に従いメモリ４６から受信データを楽曲単位で読み出しナビゲーション装置２に送信する送信制御、といった各種制御を実行する。
【００４０】
なお、メモリ４６は、受信データを一時的に保存することで、ナビゲーション装置２からの要求に従い、受信中の楽曲１曲分の楽曲データ（音声情報及び識別情報）を読み出すことができるようにするためのものであり、例えば、数分〜十数分の音楽を１曲分以上記録できる容量に設定されている。そして、制御回路４０は、メモリ４６へ受信データを書き込む際には、メモリ４６の空き領域が少なくなると、古い受信データを消去することにより、常時最新の受信データを記録する。
【００４１】
また次に、オーディオ再生装置６は、ＦＭ／ＡＭラジオ受信機６２と、音楽ＣＤからの音楽データの読み取り及びその音楽データの音声信号への変換等を行うＣＤドライブ６４と、これら各部に接続された制御回路６０とから構成されている。
【００４２】
この制御回路６０は、ＣＰＵ，ＲＯＭ，ＲＡＭ等からなるマイクロコンピュータにて構成されており、ナビゲーション装置２の制御回路２０との間でデータを送受信するための通信機能や、ＦＭ／ＡＭラジオ受信機６２で受信・復調された音声信号やＣＤドライブ６４にて生成された音声信号をオーディオアンプ１０に出力する音声信号出力機能を備えている。
【００４３】
そして、この制御回路６０も、衛星デジタルラジオ装置４の制御回路４０と同様、ナビゲーション装置２からの指令に従い動作し、ＦＭ／ＡＭラジオ受信機６２の選局チャンネルの設定、ＣＤドライブ６４が音楽ＣＤから読み取った音楽データのナビゲーション装置２への送信、といった各種制御を実行する。
【００４４】
また、オーディオアンプ１０は、ナビゲーション装置２、衛星デジタルラジオ装置４、及び、オーディオ再生装置６から出力された音声信号を選択的に増幅して、複数のスピーカ８に出力するものであるが、各スピーカ８に出力する音声信号の選択、或いは、その音声信号の各スピーカ８への出力レベルは、ナビゲーション装置２の制御回路２０から出力される制御信号により設定される。なお、本実施形態において、オーディオアンプ１０とスピーカ８は、本発明の音声出力手段（又は音声出力装置）に相当する。
【００４５】
以上のように、本実施形態の車載マルチメディアシステムにおいては、操作スイッチ群２６を介して入力される記録（録音）指令に従い、ナビゲーション装置２が、衛星デジタルラジオ装置４で受信された音楽の楽曲データ（音声情報及び識別情報）や、音楽ＣＤに記録された音楽の楽曲データ（音声情報及び識別情報）を、ハードディスク２４内のラジオ録音領域或いはＣＤ録音領域に記録する。
【００４６】
また、ナビゲーション装置２は、操作スイッチ群２６を介して入力される音声出力（又は切換）指令に従いオーディオアンプ１０等を制御することで、スピーカ８から、ハードディスク２４の各録音領域に記録された楽曲データに基づく音声、衛星デジタルラジオ装置４で受信された音声、オーディオ再生装置６にて受信されるラジオの音声、若しくは、音楽ＣＤの再生音声を出力させる、本発明の制御手段（又は制御回路）としても機能する。
【００４７】
そして、このようにスピーカ８から音声を出力させているとき、ナビゲーション装置２の制御回路２０は、走行制御等のための処理とは別に、図２に示す出力関連情報通知処理を実行する。以下、この処理について説明する。
【００４８】
図２に示すように、この出力関連情報通知処理では、まずＳ２１０にて、現在スピーカ８から出力させている音声は、衛星デジタルラジオ装置４による受信音声であるか否かを判断する。
【００４９】
そして、現在、衛星デジタルラジオ装置４による受信音声を出力しているときには、Ｓ２２０に移行して、衛星デジタルラジオ装置４から、現在受信している楽曲（つまり現在音声出力している音楽）の識別情報を取得し、続くＳ２３０にて、ハードディスク２４のラジオ録音領域及びＣＤ録音領域を検索し、受信中の楽曲と検索種別が一致する楽曲データを抽出する。
【００５０】
なお、検索種別は、音楽の識別情報である、曲名、アーティスト名、ジャンル等の中から選択された１又は複数の項目からなり、この項目は、操作スイッチ群２６を操作することによって、使用者が任意に設定できるようにされている。このため、例えば、検索種別としてアーティスト名が設定されている場合には、Ｓ２３０において、受信中の楽曲とアーティスト名が同じ楽曲がハードディスク２４の中から検索される。
【００５１】
次に、Ｓ２３０での検索処理が終了すると、Ｓ２４０にて、受信中の楽曲と検索種別が一致する楽曲データを抽出できたか否かを判断する。そして、検索種別が一致する楽曲データを抽出できていなければ、そのまま当該処理を一旦終了し、逆に、検索種別が一致する楽曲データを抽出できていれば、Ｓ２５０にて、受信中の楽曲と検索種別が一致する楽曲がハードディスク２４に録音されていることを表示装置２８に表示することで、使用者（乗員）にその旨を通知し、当該処理を一旦終了する。
【００５２】
なお、使用者への通知は、単に検索種別が一致する楽曲が存在する旨を表すメッセージを表示するだけでもよく、或いは、抽出した楽曲の一覧を表示するようにしてもよいが、本実施形態では、これらの表示方法を使用者が選択できるようにされている。
【００５３】
次に、Ｓ２１０にて、スピーカ８からの出力音声は衛星デジタルラジオ装置４による受信音声ではないと判断された場合には、Ｓ２６０に移行して、スピーカ８からの出力音声は、ハードディスク２４のＣＤ録音領域に記録された楽曲データの再生音声であるか否か、つまり現在ＣＤ録音データの再生中であるか否か、を判断する。
【００５４】
そして、現在ＣＤ録音データの再生中であれば、Ｓ２７０に移行して、ハードディスク２４のＣＤ録音領域から、現在再生中の楽曲の識別情報を取得し、続くＳ２８０にて、ハードディスク２４のもう一つの楽曲データ記録領域であるラジオ録音領域を検索し、現在再生中の楽曲と検索種別が一致する楽曲データを抽出する。
【００５５】
次に、Ｓ２９０では、Ｓ２８０の検索処理で、現在再生中の楽曲と検索種別が一致する楽曲データを抽出できたか否かを判断する。そして、検索種別が一致する楽曲データを抽出できていなければ、Ｓ３１０に移行し、逆に、検索種別が一致する楽曲データを抽出できていれば、Ｓ３００にて、現在再生中のＣＤ録音領域内の楽曲と検索種別が一致する楽曲がラジオ録音領域に録音されていることを表示することで、使用者にその旨を通知した後、Ｓ３１０に移行する。
【００５６】
次に、Ｓ３１０では、現在、衛星デジタルラジオ装置４が動作しているか否かを判断する。そして、衛星デジタルラジオ装置４が動作していなければ（つまり、使用者が衛星デジタルラジオ装置４の電源をオフして、その動作を停止させているときには）、当該処理を一旦終了し、逆に、衛星デジタルラジオ装置４が動作していれば、Ｓ３２０に移行して、衛星デジタルラジオ装置４から、現在受信している楽曲（音声出力はしていない楽曲）の識別情報を取得する。
【００５７】
そして、続く３３０では、Ｓ３２０で取得した識別情報と、Ｓ２７０で取得した音声出力中の楽曲の識別情報とを用いて、衛星デジタルラジオ装置４が現在受信している楽曲と音声出力中の楽曲とは検索種別が一致しているか否かを判断し、衛星デジタルラジオ装置４が受信中の楽曲と音声出力中の楽曲との検索種別が一致していなければ、そのまま当該処理を一旦終了し、逆に、これらの楽曲の検索種別が一致していれば、Ｓ３４０にて、再生中の楽曲と検索種別が一致する楽曲が現在衛星デジタルラジオ放送で放送されていることを表示装置２８に表示することで、その旨を使用者に通知し、当該処理を一旦終了する。
【００５８】
次に、Ｓ２６０にて、スピーカ８からの出力音声はＣＤ録音領域に記録された楽曲データの再生音声ではないと判断された場合（つまり、現在ＣＤ録音データを再生していなければ）、Ｓ３５０に移行して、スピーカ８からの出力音声はハードディスク２４のラジオ録音領域に記録された楽曲データの再生音声であるか否か（つまり、現在ラジオ録音データを再生しているか否か）を判断する。
【００５９】
そして、現在ラジオ録音データを再生していなければ、そのまま当該処理を一旦終了し、逆に、現在ラジオ録音データを再生していれば、Ｓ３６０に移行して、ハードディスク２４のラジオ録音領域から、現在再生中の楽曲の識別情報を取得し、続くＳ３７０にて、ハードディスク２４のもう一つの楽曲データ記録領域であるＣＤ録音領域を検索し、現在再生中の楽曲と検索種別が一致する楽曲データを抽出する。
【００６０】
次に、Ｓ３８０では、Ｓ３７０の検索処理で、現在再生中の楽曲と検索種別が一致する楽曲データを抽出できたか否かを判断する。そして、検索種別が一致する楽曲データを抽出できていなければ、Ｓ３１０に移行し、逆に、検索種別が一致する楽曲データを抽出できていれば、Ｓ３９０にて、現在再生中のラジオ録音領域内の楽曲と検索種別が一致する楽曲がＣＤ録音領域に録音されていることを表示することで、使用者にその旨を通知した後、Ｓ３１０に移行する。
【００６１】
そして、Ｓ３１０〜Ｓ３４０では、衛星デジタルラジオ装置４が現在受信している楽曲と音声出力中の楽曲とは検索種別が一致しているか否かを判断して、一致しているときにその旨を使用者に通知する処理を実行し、当該処理を一旦終了する。
【００６２】
以上説明したように、本実施形態では、衛星デジタルラジオ装置４により受信された楽曲を音声出力しているときと、ハードディスク２４のＣＤ録音領域に記録された楽曲を音声出力しているときと、ハードディスク２４のラジオ録音領域に記録された楽曲を音声出力しているときには、そのとき音声出力している楽曲と検索種別が一致する楽曲を、これら３つの情報源のうちの他の情報源から得ることができるか否かを判定して、その判定結果を使用者に通知するようにされている。
【００６３】
このため、使用者は、ハードディスク２４に記録（録音）されている音楽を聴いているときに、その音楽と検索種別が一致した同一種類の音楽が衛星デジタルラジオで放送されていることを検知し、音声出力を衛星デジタルラジオ装置４に切り換えて、その音楽を聴くとか、或いは、録音指令を入力して、その音楽をハードディスク２４に録音する、といったことができる。
【００６４】
また、使用者は、衛星デジタルラジオ装置４で受信された音楽を聴いているときには、その音楽と検索種別が一致した同一種類の音楽がハードディスク２４に記録されていれば、その旨を検知して、音声出力をハードディスク２４に切り換え、その後続けて同種の音楽を聴くことができるようになる。また、放送中の音楽がハードディスク２４に録音されているかどうかを確認して、録音されていない場合に、その音楽を録音させる、といったこともできる。
【００６５】
また更に、使用者は、ハードディスク２４のラジオ録音領域又はＣＤ録音領域に録音されている音楽を聴いているときに、その音楽と同一種類の音楽情報が、ハードディスク２４の他の記録領域（ＣＤ録音領域又はラジオ録音領域）に記録されていることを検知して、例えば、各記録領域に記録された音楽の中から、曲名、アーティスト、ジャンル等の特定の識別情報が同じ音楽だけを選択して再生させるとか、或いは、重複する楽曲データを見つけて不要なデータを削除する、といったこともできるようになる。
【００６６】
つまり、本実施形態の車載マルチメディアシステムによれば、上記３つの情報源から得られる音楽を相互に連携させて、これら各音楽を利用する際の利便性を向上することができるようになるのである。
【００６７】
なお、本実施形態においては、Ｓ２１０〜Ｓ２５０の一連の処理が、本発明の第１の出力関連情報通知手段に相当し、Ｓ２７１及びＳ３６０とＳ３１０〜Ｓ３４０の処理が、本発明の第２の出力関連情報通知手段に相当し、Ｓ２６０〜Ｓ３００及びＳ３５０〜Ｓ３９０の処理が本発明の第３の出力関連情報通知手段に相当する。
【００６８】
以上、本発明の一実施形態について説明したが、本発明は上記実施形態に限定されるものではなく、本発明の要旨を逸脱しない範囲内にて種々の態様をとることができる。
例えば、Ｓ２５０、Ｓ３００、Ｓ３４０、Ｓ３９０での通知は、表示装置２８へのメッセージ等の表示によって行うものとして説明したが、この通知は、音声で行うようにしてもよく、或いは、表示による通知と音声による通知を使用者が選択できるようにしてもよい。
【図面の簡単な説明】
【００６９】
【図１】実施形態の車載マルチメディアシステムの構成を表すブロック図である。
【図２】ナビゲーション装置にて実行される出力関連情報通知処理を表すフローチャートである。
【符号の説明】
【００７０】
２…ナビゲーション装置、２０…制御回路、２２…ＧＰＳ受信機、２４…ハードディスク、２６…操作スイッチ群、２８…表示装置、４…衛星デジタルラジオ装置、４０…制御回路、４２…衛星デジタルラジオ受信機、４４…デコーダ、４６…メモり、６…オーディオ再生装置、６０…制御回路、６２…ＦＭ／ＡＭラジオ受信機、６４…ＣＤドライブ、８…スピーカ、１０…オーディオアンプ。
【図１】
2008047186.tif 000003
【図２】
2008047186.tif 000004